(57)【特許請求の範囲】
【請求項１】
液透過性の表面シート、液不透過性の防漏シート及び両シート間に介在された液保持性の吸収体を備え、一対の背側フラップ部及び一対の腹側フラップ部を有する使い捨ておむつにおいて、
前記背側フラップ部及び／又は前記腹側フラップ部は、着用時に着用者の胴部側面から大腿部側面に亘って配されるようになされており、前記背側フラップ部と前記腹側フラップ部との面積比（背側フラップ部／腹側フラップ部）が１．５以上であり、且つ該背側フラップ部と該腹側フラップ部との間に形成される左右の両レッグホールの合計面積が、おむつ全体の面積に対して１５％以下であり、
前記腹側フラップ部の一部又は全体が、おむつ着用時に、前記背側フラップ部に覆われるようになされており、
前記腹側フラップ部は、前記背側フラップ部に覆われる部分における非肌当接面の一部又は全体が液透過性となされており、
前記腹側フラップ部の肌当接面から吸収した液を、該腹側フラップ部を通じて前記背側フラップ部に移行させ得るようになしてある、使い捨ておむつ。
【請求項２】
液透過性の表面シート、液不透過性の防漏シート及び両シート間に介在された液保持性の吸収体を備え、一対の背側フラップ部及び一対の腹側フラップ部を有する使い捨ておむつにおいて、
前記表面シート、前記防漏シート及び前記吸収体を備え、背側部、腹側部及び股下部を有する縦長のおむつ本体部と、前記おむつ本体部の左右両外側に延出する、前記一対の背側フラップ部及び前記一対の腹側フラップ部とを有しており、
前記背側フラップ部及び／又は前記腹側フラップ部は、着用時に着用者の胴部側面から大腿部側面に亘って配されるようになされており、前記背側フラップ部と前記腹側フラップ部との面積比（背側フラップ部／腹側フラップ部）が１．５以上であり、且つ該背側フラップ部と該腹側フラップ部との間に形成される左右の両レッグホールの合計面積が、おむつ全体の面積に対して１５％以下であり、
前記背側フラップ部は、前記おむつ本体部の前記背側部の左右側方に位置する胴部領域と、前記おむつ本体部の股下部の左右側方に、前記胴部領域とは連続し前記股下部とは分離した状態に設けられた大腿部領域とを有しており、おむつ着用時に、前記大腿部領域が着用者の大腿部側面に配される、使い捨ておむつ。
【請求項３】
前記背側フラップ部及び／又は前記腹側フラップ部は、肌側に向けられる面の面積比で５０％以上の領域が、親水性である請求項１又は２記載の使い捨ておむつ。
【請求項４】
前記背側フラップ部及び／又は前記腹側フラップ部は、内部に吸収体が配されている請求項１〜３の何れかに記載の使い捨ておむつ。
【請求項５】
長手方向の左右両側に、レッグギャザー形成用のレッグ部弾性部材がそれぞれ複数本配されている請求項１〜４の何れかに記載の使い捨ておむつ。
【発明の詳細な説明】
【０００１】
【発明の属する技術分野】
本発明は、漏れ防止性に優れ、特に横向きに寝た状態における漏れを確実に防止することのできる使い捨ておむつに関する。
【０００２】
【従来の技術及び発明が解決しようとする課題】
使い捨ておむつにおいては、脚廻りからの漏れを防止することが一つの課題であり、従来、脚廻りからの漏れを防止するために、吸収体の左右両側に立体ガードを形成したおむつや、脚廻りにギャザーを形成してフィット性を高めたおむつが知られている。
しかし、従来の使い捨ておむつにおいては、漏れを確実には防止できない場合があった。例えば、成人用のおむつの場合には、着用者が横向きに寝たままの状態で長時間過ごす場合があり、そのような場合においては、排泄した尿や便が側方に容易に移動するため、脚廻りから漏れ出す場合があった。
【０００３】
従って、本発明の目的は、漏れ防止性に優れ、特に横向きに寝た状態における漏れを確実に防止することのできる使い捨ておむつを提供することにある。
【０００４】
【課題を解決するための手段】
本発明は、液透過性の表面シート、液不透過性の防漏シート及び両シート間に介在された液保持性の吸収体を備え、一対の背側フラップ部及び一対の腹側フラップ部を有する使い捨ておむつにおいて、前記背側フラップ部及び／又は前記腹側フラップ部は、着用時に着用者の胴部側面から大腿部側面に亘って配されるようになされており、前記背側フラップ部と前記腹側フラップ部との面積比（背側フラップ部／腹側フラップ部）が１．５以上であり、且つ該背側フラップ部と該腹側フラップ部との間に形成される左右の両レッグホールの合計面積が、おむつ全体の面積に対して１５％以下である使い捨ておむつを提供することにより、上記目的を達成したものである。
【０００５】
【発明の実施の形態】
以下、本発明をその好ましい実施形態に基づいて説明する。
本発明の第１実施形態の使い捨ておむつ１は、図１及び２に示すように、液透過性の表面シート２、液不透過性の防漏シート３、及び両シート２，３間に介在された液保持性の吸収体４を備えたおむつ本体部１０と、おむつ本体部１０の左右両外側に延出する一対の背側フラップ部１１，１１及び一対の腹側フラップ部１２，１２とからなる。
本使い捨ておむつ１は、一対の背側フラップ部１１，１１それぞれにおける外側縁部に、ファスニングテープ５が設けられている、いわゆる展開型の使い捨ておむつである。ファスニングテープ５は、おむつ１の左右両側に、それぞれ二本づつ設けられている。
【０００６】
おむつ本体部１０は、着用時に着用者の背側に配される背側部１０Ａ、腹側に配される腹側部１０Ｂ、及び両者間に位置し、着用時に着用者の股下に配される股下部１０Ｃを有しており、背側部１０Ａ及び腹側部１０Ｂを結ぶ方向に縦長の略長方形状をなしている。
そして、一対の背側フラップ部１１，１１は、おむつ本体部１０の背側部１０Ａの左右両側に一体的に設けられ、一対の腹側フラップ部１２，１２は、おむつ本体部１０の腹側部Ｂの左右両側に一体的に設けられている。
【０００７】
より具体的には、おむつ本体部１０を形成する表面シート２、防漏シート３及び吸収体４が、それぞれ、股下部１０Ｃの両側縁端Ｃ１，Ｃ１及び該両側縁端Ｃをおむつの長手方向の両端に向けて延長した延長線Ｌ，Ｌよりも左右の両外方に延出しており、延出した表面シート２、防漏シート３及び吸収体４により、各フラップ部１１，１１，１２，１２が形成されている。
第１実施形態の使い捨ておむつ１における股下部１０Ｃの両側縁端Ｃ１，Ｃ１は、図１に示すように、おむつを平面状に拡げた状態において、おむつの長手方向に延びるおむつ中心線ＣＬとそれぞれ平行に形成されている。
【０００８】
尚、股下部１０Ｃの両側縁端Ｃ１が、おむつの長手方向に延びるおむつ中心線ＣＬと平行に形成されていない場合、背側フラップ部１１は、当該両側縁端（背側にスリット１５がある場合には該スリット１５も含む）Ｃ１からおむつ幅方向外側の領域１４及び該両側縁端の背側終端からおむつ中心線ＣＬと平行に引いた仮想線よりもおむつ幅方向外側の領域１３から構成される領域をいい、腹側フラップ部１２は、当該両側縁端（背側スリット１５を含まない）間の幅が最小となる部分における該両側縁端からおむつ中心線ＣＬと平行に引いた仮想線よりもおむつ幅方向外側の領域から構成される領域をいう。
例えば、図４に示すように、股下部１０Ｃの両側縁端Ｃ１，Ｃ１同士間の幅が腹側から背側に向かって拡がっている場合、背側フラップ部１１，１１とおむつ本体部１０との境界線ＬＡ，ＬＡ、及び腹側フラップ部１２，１２とおむつ本体部１０との境界線ＬＢ，ＬＢは、図４に示す通りである。尚、図４中の各直線ＣＬ、ＬＡ、ＬＢは互いに平行であり、斜線部Ｆはレッグホールを示している。
【０００９】
使い捨ておむつ１においては、おむつ本体部１０の股下部１０Ｃにおける左右両側には、着用時に脚廻りに配される部位にレッグギャザーを形成するためのレッグギャザー形成用のレッグ部弾性部材６が、該股下部１０Ｃの両側縁端Ｃ１，Ｃ１に沿って、それぞれ複数本、例えば３本配されている。
【００１０】
使い捨ておむつ１における両背側フラップ部１１，１１は、図２に示すように、それぞれ、着用時に着用者の胴部側面Ｄから大腿部側面Ｅに亘って配されるようになされている。
具体的には、背側フラップ部１１は、図１に示すように、おむつ本体部１０の背側部１０Ａの左右側方に位置する胴部領域１３と、スリット１５を挟んで、おむつ本体部１０の股下部１０Ｃの左右側方に位置する大腿部領域１４とを有しており、着用時には、主として胴部領域１３が着用者の胴部側面Ｄに位置し、主として大腿部領域１４が着用者の大腿部側面Ｅに位置するようになされている。
【００１１】
側方からの漏れを確実に防止する観点から、大腿部領域１４が、対向する腹側フラップ部１２方向に延出する長さＬ１（図１参照）は、成人用のおむつの場合０〜３０ｃｍ、特に０〜２０ｃｍが好ましく、幼児用のおむつの場合０〜２０ｃｍ、特に０〜１５ｃｍが好ましい。
【００１２】
また、使い捨ておむつ１は、背側フラップ部１１と腹側フラップ部１２との面積比（背側フラップ部／腹側フラップ部）が１．５以上、好ましくは、１．５〜３である。
この面積比が１．５未満であると、横向きに寝た場合のモレ防止効果が低減してしまう。
背側フラップ部１１と腹側フラップ部１２との前記面積比は、おむつの左右同じ側に位置する両フラップ部１１，１２の面積を測定し、その両フラップ部の面積から求める。
【００１３】
また、使い捨ておむつ１における背側フラップ部１１と腹側フラップ部１２との間には、レッグホールＦ，Ｆが形成されており、両レッグホールＦ，Ｆの合計面積は、おむつ全体の面積（内面側の全面積）に対して１５％以下である。
両レッグホールＦ，Ｆの合計面積が、おむつ全体の面積に対して１５％を超えるとサイドフラップ部の面積が小さくなり、モレ防止効果が弱まる。
両レッグホールＦ，Ｆの合計面積のおむつ全体の面積に対する割合の下限値は０％である。即ち、レッグホールＦは、背側フラップ部１１と腹側フラップ部１２との間に形成されたスリットであっても良い。
【００１４】
尚、背側フラップ部１１及び腹側フラップ部１２の延出幅Ｌ２，Ｌ２（図１参照）は、防漏性の観点から、それぞれ、成人用のおむつの場合１０〜３０ｃｍ、特に１０〜２５ｃｍが好ましく、乳幼児用のおむつの場合３〜１５ｃｍ、特に５〜１０ｃｍが好ましい。
【００１５】
第１実施形態の使い捨ておむつ１は、背側フラップ部１１，１１及び腹側フラップ部１２，１２それぞれにおける肌側に向けられる面の面積比で５０％以上、好ましくは６０〜１００％の領域の領域が、親水性である。
ここで、親水性であるとは、液体により濡れるか液体を吸収し得ることをいう。例えば、肌側に向けられる表面が、撥水性の不織布により形成されている場合でも、その開孔性が高く、その下側に親水材（パルプ／ＳＡＰ）が存在する場合は親水性となる。
【００１６】
着用時に着用者の胴部側面Ｄから大腿部側面Ｅに亘って配される背側フラップ部１１，１１（又は腹側フラップ）の肌側に向けられる面が５０％以上親水性であると、横向きに寝た場合の尿モレを安定的に防止することができる。
また、背側及び腹側のフラップ部１１，１２の肌側に向けられる面がそれぞれ５０％以上親水性であると、より横向き寝での尿モレを安定的に防止することができる。
【００１７】
フラップ部の肌側に向けられる面を親水性とする方法としては、フラップ部における肌側に向けられる面を、▲１▼多数の孔を形成したフィルムや撥水性不織布から形成する方法や、▲２▼親水性繊維を主体とするシート材から形成する方法等が挙げられ、防漏性の観点から、上記▲２▼の方法が好ましい。
親水性繊維を主体とするシート材は、不織布であることが好ましく、また、前記親水性繊維としては、パルプ繊維、コットン繊維、レーヨン、キュプラ、ポリノジック等のセルロース系繊維、その他、各種界面活性剤により親水化処理を施した合成繊維等を挙げることができる。
【００１８】
本発明の使い捨ておむつは、腹側フラップ部１２，１２の非肌当接面、即ち着用時に着用者の肌側に向けられる面とは反対側の面が液透過性であることが好ましい。
腹側フラップ部１２，１２は、図２に示すように、おむつの着用時に、その一部又は全体が背側フラップ部１１，１１に覆われた状態となるが、腹側フラップ部１２，１２の非肌当接面が液透過性であると、横向き寝で排尿された液を安定的に背側フラップに移行できる。
尚、腹側フラップ部の非肌当接面が液透過性であるという場合、該腹側フラップ部１２の非肌当接面の全面が液透過性である必要はなく、背側フラップ部１１に覆われる部分の少なくとも一部（好ましくは全体）が液透過性であれば良い。また、腹側フラップ部の非肌当接面を液透過性とする方法としては、フラップ部の肌側に向けられる面を親水性とする方法と同様の方法を用いることができる。
【００１９】
尚、使い捨ておむつ１のフラップ部１１，１２の面積、レッグホールＦ，Ｆの面積、おむつ全体の面積等の面積、延出長さＬ１、延出長さＬ２等の各部の寸法等は、何れも使い捨ておむつを図１に示すように平面状に引き延ばした状態で測定する。また、背側フラップ部１１の面積及びおむつ全体の面積には、ファスニングテープ５の面積（突出部分の面積）を含めない。
【００２０】
使い捨ておむつ１の各構成部材の形成材料について説明すると、表面シート２、裏面シート３、吸収体４、ファスニングテープ５及びレッグ部弾性部材６の形成材料としては、従来、使い捨ておむつに用いられている各種公知のものを特に制限なく用いることができる。
【００２１】
第１実施形態の使い捨ておむつ１によれば、上述した構成、特に背側フラップ部１１，１１が、着用時に着用者の胴部側面Ｄから大腿部側面Ｅに亘って配されるようになされているため、排泄した尿や便の側方への漏れが効果的に防止され、例えば着用者が横向きに寝たままの状態で長時間過ごすような場合であっても、側方からの漏れを確実に防止することができる。
【００２２】
また、背側フラップ部１１及び腹側フラップ部１２の内部に吸収体４が配されているため、より一層モレ防止効果が期待できる。
斯かる効果を効果的に得る観点から、吸収体が配されている背側フラップ部１１及び／又は腹側フラップ部１２における吸収体が配されている部分の面積は、各フラップ部の面積に対して、１０％以上、特に２０〜８０％であることが好ましい。
尚、吸収体４は、フラップ部の大腿部領域１４，１７にも配されていることが好ましい。
【００２３】
更に、長手方向の左右両側に、レッグギャザー形成用のレッグ部弾性部材６がそれぞれ複数本配されているため、フィット性を良好にし、股モレを一層低減することが可能となる。
【００２４】
次に、本発明の第２実施形態の使い捨ておむつ１’について説明する。
第２実施形態の使い捨ておむつ１’については、第１実施形態の使い捨ておむつ１と異なる点について主として説明し、特に説明しない点に関しては、第１実施形態のおむつ１と同様であり、第１実施形態に関して上述した説明が適用される。
【００２５】
第２実施形態の使い捨ておむつ１’においては、腹側フラップ部１２，１２も、着用時に着用者の胴部側面Ｄから大腿部側面Ｅに亘って配されるようになされている。
具体的には、腹側フラップ部１２，１２は、おむつ本体部１０の腹側部１０Ｂの左右側方に位置する胴部領域１６と、第２のスリット１８を挟んで、おむつ本体部１０の股下部１０Ｃの左右側方に位置する大腿部領域１７とを有している。そして、使い捨ておむつ１’の着用時には、背側フラップ部１１，１１及び腹側フラップ部１２，１２それぞれの胴部領域１３，１６が着用者の胴部側面Ｄに位置し、それぞれの大腿部領域１４，１７が着用者の大腿部側面Ｅに位置する。
【００２６】
また、第２実施形態の使い捨ておむつ１’においては、おむつ全体の面積に対する両レッグホールＦ，Ｆの合計面積の割合が０％である。即ち、第２実施形態におけるレッグホールＦは、背側フラップ部１１と腹側フラップ部１２との間に形成されたスリットである。
第２実施形態の使い捨ておむつ１’によれば、第１実施形態のおむつ１と同様の作用効果が奏される。
【００２７】
本発明は、上述した第１及び第２の実施形態に制限されず、適宜に変更可能である。例えば、吸収体４は、背側フラップ部１１及び／又は腹側フラップ部１２に配されていなくても良い。また、フラップ部１１，１２に配する吸収体４は、おむつ本体部１０に配する吸収体４と別体のものであっても良い。また、背側フラップ部１１と腹側フラップ部とで、延出幅Ｌ２が異なっていても良い。また、股下部１０Ｃの両側縁端Ｃ１，Ｃ１は、湾曲していても良い。
更に、使い捨ておむつの各部の形状、寸法、形成材料等は、適宜に変更することができる。尚、本発明の使い捨ておむつは、成人用のおむつの場合に、漏れ防止効果が特に顕著に発現される。
【００２８】
【発明の効果】
本発明の使い捨ておむつは、漏れ防止性に優れ、特に横向きに寝た状態における漏れを確実に防止することができるものである。
【図面の簡単な説明】
【図１】図１は、本発明の使い捨ておむつの一実施形態を示す図で、着用時に着用者の肌側に向けられる面側から見た平面図である。
【図２】図２は、図１の使い捨ておむつの使用状態を示す図である。
【図３】図３は、本発明の使い捨ておむつの他の実施形態を模式的に示す平面図である。
【図４】図４は、本発明の使い捨ておむつの更に他の実施形態を模式的に示す平面図である。
【符号の説明】
１，１’  使い捨ておむつ
２    表面シート
３    裏面シート
４    吸収体
５    ファスニングテープ
６    レッグ部弾性部材
１０  おむつ本体部
１０Ａ  背側部
１０Ｂ  腹側部
１０Ｃ  股下部
１１  背側フラップ部
１２  腹側フラップ部
１３，１６  胴部領域
１４，１７  大腿部領域
Ｃ１，Ｃ１  股下部の両側縁端
Ｄ  着用者の胴部側面
Ｅ  着用者の大腿部側面
Ｆ  レッグホール
【図１】
0004215387.tif 000002
【図２】
0004215387.tif 000003
【図３】
0004215387.tif 000004
【図４】
0004215387.tif 000005